(57)【要約】【課題】板材を立った状態で保持し、相互に連結することで、容易に仕切りや囲いを作成することが可能な板材ホルダ、及び、組み合わされて使用される板材補助ホルダを提供する。【解決手段】板材ホルダ１は、角筒状の周壁部７と、一対のベース部９，９と、一対の連結部１１Ａ，１１Ｂとを備えている。連結部１１Ａには、雄型嵌合部である円柱状凸部２９が設けられ、連結部１１Ｂには、雌型嵌合部である孔部３１が設けられている。円柱状凸部２９に隣り合う他の板材ホルダの孔部３１を係合させると、円柱状凸部２９を上下方向ＶＤに延びる仮想中心線を中心として、孔部３１が所定の角度範囲で回動するように構成されている。必要に応じて、板材ホルダ１の上方に配置されて板材ホルダ１と組み合わせて使用される板材補助ホルダ３を利用する。【選択図】  図４
2018137999.tif 000002
【特許請求の範囲】
【請求項１】
板材を立った状態で保持する板材ホルダであって、
設置状態において上下方向に延び、前記上下方向と直交する第１の直交方向に対向する第１の一対の側壁部と、前記上下方向及び前記第１の直交方向と直交する第２の直交方向に対向する第２の一対の側壁部によって構成され、上端に前記板材の端部が挿入される開口部を有し且つ前記開口部から挿入された前記板材の前記端部の周囲を前記第１の一対の側壁部及び前記第２の一対の側壁部によって囲む角筒状の周壁部と、
前記第１の一対の側壁部と一体に設けられて、前記第１の一対の側壁部の下端部から前記第１の直交方向にそれぞれ離れるように延びる一対のベース部と、
前記第２の一対の側壁部と一体に設けられた一対の連結部とを備え、
前記一対の連結部の一方には雄型嵌合部が設けられ、
前記一対の連結部の他方には隣り合う他の前記板材ホルダの前記一対の連結部の一方に設けられた前記雄型嵌合部が回動可能に係合する雌型嵌合部が設けられていることを特徴とする板材ホルダ。
【請求項２】
前記一対の連結部は、前記第２の一対の側壁部に上下方向に位置を変えて設けられて前記第２の直交方向にそれぞれ離れるように延び、前記雄型嵌合部及び前記雌型嵌合部の一方と他方がそれぞれ設けられる一対の板状部を備えており、
前記一対の板状部は、該板状部の前記上下方向に測った厚み寸法以上の間隔を前記上下方向にあけて前記第２の一対の側壁部に設けられている請求項１に記載の板材ホルダ。
【請求項３】
前記雄型嵌合部と前記雌型嵌合部とは、前記雄型嵌合部を前記上下方向に延びる仮想中心線を中心として、前記隣り合う他の前記板材ホルダの前記雌型嵌合部が所定の角度範囲で回動するように構成されている請求項２に記載の板材ホルダ。
【請求項４】
前記雄型嵌合部は前記上下方向に延びる円柱状凸部からなり、前記雌型嵌合部は前記隣り合う他の前記円柱状凸部が回動可能に嵌合される円柱状凹部または孔部からなる請求項３に記載の板材ホルダ。
【請求項５】
前記周壁部の内壁部には前記開口部と対向する位置に、前記板材の前記端部の端面と当接するストッパが一体に設けられている請求項１に記載の板材ホルダ。
【請求項６】
前記角筒状の前記周壁部は、前記開口部の中心を通り前記第１の一対の側壁部と直交する第１の直交仮想面と、前記開口部の前記中心を通り前記第２の一対の側壁部と直交する第２の直交仮想面に対して、それぞれ面対称になる形状を有しており、
前記一対のベース部は、前記第１の直交仮想面と前記第２の直交仮想面に対してそれぞれ面対称となる形状を有しており、
前記ベース部の外側面には、前記ベース部の外側で、前記第１の直交仮想面と交差する一対の傾斜仮想面に沿う一対の傾斜面を備えている請求項１に記載の板材ホルダ。
【請求項７】
前記一対の傾斜仮想面と前記第１の直交仮想面との間の角度が１０度から４５度の角度である請求項６に記載の板材ホルダ。
【請求項８】
前記一対の傾斜仮想面と前記第１の直交仮想面との間の角度が４５度である請求項７に記載の板材ホルダ。
【請求項９】
前記一対のベース部には、前記第１の直交仮想面が通る位置に、前記ベース部を貫通する１以上の貫通孔が形成されている請求項６に記載の板材ホルダ。
【請求項１０】
請求項１乃至９に記載の板材ホルダの上方に配置されて前記板材ホルダと組み合わされて使用される板材補助ホルダであって、
配置状態において上下方向に延び、前記上下方向と直交する第１の直交方向に対向する第１の一対の側壁部と、前記上下方向及び前記第１の直交方向と直交する第２の直交方向に対向する第２の一対の側壁部によって構成され、上端及び下端に前記板材が貫通する一対の開口部を有し且つ前記一対の開口部を貫通する前記板材の周囲を前記第１の一対の側壁部及び前記第２の一対の側壁部によって囲む角筒状の周壁部と、
前記第２の一対の側壁部と一体に設けられた一対の連結部とを備え、
前記一対の連結部の一方には雄型嵌合部が設けられ、
前記一対の連結部の他方には隣り合う他の前記板材補助ホルダの前記一対の連結部の一方に設けられた前記雄型嵌合部が回動可能に係合する雌型嵌合部が設けられていることを特徴とする板材補助ホルダ。
【請求項１１】
前記第１の一対の側壁部には、それぞれ前記第２の直交方向と下方向に向かって開口するＵ字状の溝部が、少なくとも１つ形成されている請求項１０に記載の板材補助ホルダ。
【請求項１２】
前記一対の連結部は、前記第２の一対の側壁部に上下方向に位置を変えて設けられて前記第２の直交方向にそれぞれ離れるように延び、前記雄型嵌合部及び前記雌型嵌合部の一方と他方がそれぞれ設けられる一対の板状部を備えており、
前記一対の板状部は、該板状部の前記上下方向に測った厚み寸法以上の間隔を前記上下方向にあけて前記第２の一対の側壁部に設けられている請求項１０に記載の板材補助ホルダ。
【請求項１３】
前記雄型嵌合部と前記雌型嵌合部とは、前記雄型嵌合部を前記上下方向に延びる仮想中心線を中心として、前記隣り合う他の前記板材ホルダの前記雌型嵌合部が所定の角度範囲で回動するように構成されている請求項１２に記載の板材補助ホルダ。
【請求項１４】
前記雄型嵌合部は前記上下方向に延びる円柱状凸部からなり、前記雌型嵌合部は前記隣り合う他の前記円柱状凸部が回動可能に嵌合される円柱状凹部または孔部からなる請求項１３に記載の板材補助ホルダ。
【発明の詳細な説明】
【技術分野】
【０００１】
本発明は、板材を立った状態で保持する板材ホルダ、及び、板材ホルダと組み合わされて使用される板材補助ホルダに関するものである。
【背景技術】
【０００２】
従来から、土地を仕切ったり、囲いを作成するために、柵や連杭が用いられている。例えば、実開平６−６０３２８号公報（特許文献１）には、ワイヤーで連結した杭で花壇囲いを作成する考案が開示されている。各杭は、地面に直接載置されるか、または、地面を掘って固定されている。
【０００３】
特許第３４１０４０５号公報（特許文献２）には、アンカー用の木材と、外郭用の木材を繋いで花壇囲いを作成する発明が開示されている。アンカー用の木材は、地中に打ち込まれ、外郭用の木材は、地面に直接載置されるか、または、地面を掘って固定されている。
【０００４】
実用新案登録第３０７４４２６号公報（特許文献３）には、連結紐で連結した木材からなる連杭が開示されている。木材に設けられた固定部は、地中に打ち込まれ、木材本体部は、地面に直接載置されるか、または、地面を掘って固定されている。
【先行技術文献】
【特許文献】
【０００５】
【特許文献１】実開平６−６０３２８号公報
【特許文献２】特許第３４１０４０５号公報
【特許文献３】実用新案登録第３０７４４２６号公報
【発明の概要】
【発明が解決しようとする課題】
【０００６】
特許文献１，２及び３に記載の発明・考案では、木材を地面に固定するため、地面を掘ったり、木槌で木材を打ち込んだりする大がかりな作業が必要になることがある。また、木材の一部を直接的に地中に埋設することになるため、木材が地面から直接水分を吸収しやすく、木材が数年で腐ってしまう問題があった。さらに、連結する木材の数の調整が難しく、仕切りや囲いを所望の長さに調整することが難しいという問題があった。
【０００７】
本発明の目的は、板材を立った状態で保持し、相互に連結することで、容易に仕切りや囲いを作成することが可能な板材ホルダを提供することにある。
【０００８】
本発明の他の目的は、簡単に地面に固定することができる板材ホルダを提供することにある。
【０００９】
本発明の他の目的は、板材の寿命を延ばすことが可能な板材ホルダを提供することにある。
【００１０】
本発明のさらに他の目的は、板材ホルダと組み合わされて使用される板材補助ホルダを提供することにある。
【課題を解決するための手段】
【００１１】
本発明の板材ホルダは、板材を立った状態で保持するものである。板材ホルダは、角筒状の周壁部と、一対のベース部と、一対の連結部とを備えている。
【００１２】
角筒状の周壁部は、設置状態において上下方向に延び、上下方向と直交する第１の直交方向に対向する第１の一対の側壁部と、上下方向及び第１の直交方向と直交する第２の直交方向に対向する第２の一対の側壁部によって構成され、上端に板材の端部が挿入される開口部を有し且つ開口部から挿入された板材の端部の周囲を第１の一対の側壁部及び第２の一対の側壁部によって囲むものである。一対のベース部は、第１の一対の側壁部と一体に設けられて、第１の一対の側壁部の下端部から第１の直交方向にそれぞれ離れるように延びる。一対の連結部は、第２の一対の側壁部と一体に設けられており、一方には雄型嵌合部が設けられ、他方には隣り合う他の板材ホルダの一対の連結部の一方に設けられた雄型嵌合部が回動可能に係合する雌型嵌合部が設けられている。
【００１３】
本発明の板材ホルダによれば、板材を開口部に挿入した状態で、板材ホルダを地上に設置するだけで、板材が倒れることがない状態を作れる。また、一対の連結部を利用して、複数の板材ホルダを相互に連結することができるため、複数枚の板材を複数の板材ホルダに挿入して、隣り合う板材ホルダの雄型嵌合部と雌型嵌合部とを嵌合させて、複数の板材ホルダを連結することにより、仕切りや囲いを容易に作成することができる。
【００１４】
一対の連結部の構成は任意であるが、例えば、第２の一対の側壁部に上下方向に位置を変えて設けられて第２の直交方向にそれぞれ離れるように延び、雄型嵌合部及び雌型嵌合部の一方と他方がそれぞれ設けられる一対の板状部を備え、一対の板状部を、該板状部の上下方向に測った厚み寸法以上の間隔を上下方向にあけて第２の一対の側壁部に設けるようにすることができる。このように一対の連結部を構成すれば、隣り合う板材ホルダの雄型嵌合部及び雌型嵌合部を重ねたときに、隣り合う２つの板材ホルダのベース部を全面的に地面に接地することができる。
【００１５】
雄型嵌合部と雌型嵌合部とは、雄型嵌合部を上下方向に延びる仮想中心線を中心として、隣り合う他の板材ホルダの前雌型嵌合部が所定の角度範囲で回動するように構成してもよい。具体的には、雄型嵌合部は上下方向に延びる円柱状凸部からなり、雌型嵌合部は隣り合う他の円柱状凸部が回動可能に嵌合される円柱状凹部または孔部からなるようにすればよい。このようにすれば、設置状態において、隣り合う板材ホルダ間に所望の角度を持たせることができる。その結果、複数の板材ホルダを閉じたループ状に並べることも可能になる。
【００１６】
周壁部の内壁部には開口部と対向する位置に、板材の端部の端面と当接するストッパが一体に設けられていることが好ましい。このようなストッパを設ければ、設置状態において、板材が直接地面に触れることがなくなり、板材の寿命を延ばすことができる。また、板材が板材ホルダを貫通することがなくなるため、設置作業も容易になる。
【００１７】
一対のベース部の形状は任意であるが、例えば、角筒状の周壁部が、開口部の中心を通り第１の一対の側壁部と直交する第１の直交仮想面と、開口部の中心を通り第２の一対の側壁部と直交する第２の直交仮想面に対して、それぞれ面対称になる形状を有している場合、一対のベース部は、第１の直交仮想面と第２の直交仮想面に対してそれぞれ面対称となる形状を有しており、ベース部の外側面には、ベース部の外側で、第１の直交仮想面と交差する一対の傾斜仮想面に沿う一対の傾斜面を備えていることが好ましい。一対のベース部がこのような形状であれば、板材を安定して立たせることが可能である。
【００１８】
なお、板材ホルダを地面に固定できれば、より板材を安定させることができる。そこで、例えば、一対のベース部に、第１の直交仮想面が通る位置に、ベース部を貫通する１以上の貫通孔が形成しておけばよい。貫通孔にテント固定用のペグ等の固定具を通して地面に固定すれば板材ホルダが地面に固定され、板材が倒れることがなくなる。
【００１９】
一対の傾斜仮想面と第１の直交仮想面との間の角度は１０度から４５度の角度であれば、板材ホルダを連結した状態で雄型嵌合部と雌型嵌合部が回動しやすく、板材ホルダの設置作業がしやすい。しかも、板材ホルダを回動させて隣り合う板材ホルダの傾斜面同士を当接させることで、仕切りや囲いを作成する際に、一対の傾斜仮想面と第１の直交仮想面との間の角度の２倍の角度を有する折れ曲がり部を簡単に形成することが可能である。特に、一対の傾斜仮想面と第１の直交仮想面との間の角度が４５度であれば、折れ曲がり部を９０度とすることができ、矩形状の囲い等を容易に形成することができる。
【００２０】
本発明の板材ホルダは、板材ホルダだけで使用することも可能であるが、板材ホルダの上方に配置されて板材ホルダと組み合わされて使用される板材補助ホルダと共に使用してもよい。
【００２１】
板材補助ホルダは、角筒状の周壁部と、一対の連結部とを備えている。角筒状の周壁部は、配置状態において上下方向に延び、上下方向と直交する第１の直交方向に対向する第１の一対の側壁部と、上下方向及び第１の直交方向と直交する第２の直交方向に対向する第２の一対の側壁部によって構成され、上端及び下端に板材が貫通する一対の開口部を有し且つ一対の開口部を貫通する板材の周囲を第１の一対の側壁部及び第２の一対の側壁部によって囲むものである。一対の連結部は、第２の一対の側壁部と一体に設けられている。一対の連結部の一方には雄型嵌合部が設けられ、一対の連結部の他方には隣り合う他の板材補助ホルダの一対の連結部の一方に設けられた雄型嵌合部が回動可能に係合する雌型嵌合部が設けられている。このような板材補助ホルダを板材ホルダと共に使用すれば、板材を上下２箇所で保持することができ、板材を安定させて立たせることができる。
【００２２】
板材補助ホルダを板材ホルダの上方に配置するための構成は任意である。例えば、板材補助ホルダを板材に釘で打ち付けるようにしてもよい。また、板材補助ホルダの第１の一対の側壁部に、それぞれ第２の直交方向と下方向に向かって開口するＵ字状の溝部を、少なくとも１つ形成しておき、板材に設けられた係合部（例えば、位置合わせをして打ち付けた釘）と溝部を係合させるようにすることもできる。Ｕ字状の溝部の場合には、板材補助ホルダを板材に固定する際には、予め板材に係合部としての釘を打ち付けておき、設置状態の板材の上から下方向に板材補助ホルダを嵌めて、溝部と係合部を係合させることで簡単に板材補助ホルダを固定することもできる。また、板材補助ホルダを上方向に持ち上げることで、溝部と係合部の係合を解除し、板材補助ホルダを簡単に取り外すこともできる。
【００２３】
板材補助ホルダの一対の連結部は、板材ホルダの一対の連結部と同様に構成することができる。すなわち、第２の一対の側壁部に上下方向に位置を変えて設けられて第２の直交方向にそれぞれ離れるように延び、雄型嵌合部及び雌型嵌合部の一方と他方がそれぞれ設けられる一対の板状部を備えており、一対の板状部を、該板状部の上下方向に測った厚み寸法以上の間隔を上下方向にあけて第２の一対の側壁部に設けるようにすることができる。
【００２４】
板材補助ホルダの雄型嵌合部と雌型嵌合部も、板材ホルダの雄型嵌合部と雌型嵌合部と同様に、雄型嵌合部を上下方向に延びる仮想中心線を中心として、隣り合う他の板材ホルダの雌型嵌合部が所定の角度範囲で回動するように構成してもよい。具体的には、雄型嵌合部は上下方向に延びる円柱状凸部からなり、雌型嵌合部は隣り合う他の円柱状凸部が回動可能に嵌合される円柱状凹部または孔部からなるようにすればよい。
【００２５】
板材として用いる板材は、どのようなものを用いてもよいが、本発明の場合、例えば、板材ホルダの周壁部の開口部及び板材補助ホルダの周壁部の開口部の寸法を規格化された板材であるワンバイフォー（１×４）木材に合わせれば、入手しやすい木材を板材として使用可能となる。
【００２６】
なお、ワンバイフォー木材とは、アメリカの建築工法（２×４工法）や日本のＪＡＳ規格（枠組壁工法構造用製材の日本農林規格）等に規定・規格化されているワンバイフォー木材のことであり、断面寸法が約１９ｍｍ（厚み寸法）×約８９ｍｍ（幅寸法）である材木のことである。
【図面の簡単な説明】
【００２７】
【図１】本実施の形態の板材ホルダ、板材補助ホルダ、及び、板材を複数用いて囲いを作成した状態を示す斜視図である。
【図２】板材ホルダの詳細を示す図であり、（Ａ）は正面図、（Ｂ）は右側面図、（Ｃ）は左側面図、（Ｄ）は平面図、（Ｅ）は底面図、（Ｆ）は背面図である。
【図３】板材補助ホルダの詳細を示す図であり、（Ａ）は正面図、（Ｂ）は右側面図、（Ｃ）は左側面図、（Ｄ）は平面図、（Ｅ）は底面図、（Ｆ）は背面図である。
【図４】板材ホルダを用いて板材を立てる様子、また、２組の板材ホルダ及び板材補助ホルダを連結する様子を示す図である。
【図５】図１に示した囲いを変形させて、２箇所９０度の折れ曲がり部を有する囲いを作成した状態を示す斜視図である。
【発明を実施するための形態】
【００２８】
以下、図面を参照して、本発明の板材ホルダ及び板材補助ホルダの実施の形態を詳細に説明する。
【００２９】
図１は、本実施の形態の板材ホルダ、板材補助ホルダ、及び、板材を複数用いて囲いを作成した状態を示す斜視図であり、図２（Ａ）乃至（Ｆ）は、板材ホルダの詳細を示す図であり、図３（Ａ）乃至（Ｆ）は、板材補助ホルダの詳細を示す図である。
【００３０】
図１に示した例では、本実施の形態の板材ホルダ１を９つ、板材補助ホルダ３を９つ、及び、板材５を９枚を用いて、囲いを作成している。なお、それぞれ９つあるうち、１つにだけ符号を付して、他の符号は省略している。本明細書においては、板材ホルダ１で板材５を立てた状態を「設置状態」と呼んでいる。
【００３１】
［板材］
本実施の形態では、板材５として、ワンバイフォー木材を用いている。ワンバイフォー木材は、断面寸法が約１９ｍｍ（厚み寸法）×約８９ｍｍ（幅寸法）である規格化された木材であり、比較的入手しやすいものである。
【００３２】
［板材ホルダ］
図２（Ａ）乃至（Ｆ）に示すように、板材ホルダ１には、設置状態に合わせて、複数の方向を定めている。すなわち、設置状態の上下の方向である上下方向ＶＤ、上下方向ＶＤと直交する第１の直交方向Ｄ１、上下方向ＶＤと第１の直交方向Ｄ１と直交する第２の直交方向Ｄ２を図２（Ａ）乃至（Ｆ）に示すように定義している。
【００３３】
板材ホルダ１は、角筒状の周壁部７と、一対のベース部９，９と、一対の連結部１１Ａ，１１Ｂとを備えている。
【００３４】
角筒状の周壁部７は、上下方向ＶＤに延び、第１の直交方向Ｄ１に対向する第１の一対の側壁部１３，１３と、第２の直交方向Ｄ２に対向する第２の一対の側壁部１５，１５によって構成され、上端には、板材５の端部５Ａが挿入される開口部１７を有している。開口部１７から挿入された板材５の端部５Ａの周囲を第１の一対の側壁部１３，１３及び第２の一対の側壁部１５，１５によって囲むように構成されている。本実施の形態では、周壁部７の内寸は、板材５であるワンバイフォー木材の断面寸法よりわずかに大きく構成されており、２０ｍｍ（厚み寸法）×９０ｍｍ（幅寸法）に構成されている。角筒状の周壁部７は、開口部１７の中心を通り第１の一対の側壁部１３，１３と直交する第１の直交仮想面ＩＳ１と、開口部１７の中心を通り第２の一対の側壁部１５，１５と直交する第２の直交仮想面ＩＳ２に対して、それぞれ面対称になる形状を有している。第１の一対の側壁部１３，１３の内壁部には、板材５の端部５Ａと係合する３つの突出部１９と、開口部１７と対向する位置に、板材５の端部５Ａの端面と当接するストッパ２１が一体に設けられている。
【００３５】
一対のベース部９，９は、第１の一対の側壁部１３，１３と一体に設けられて、第１の一対の側壁部１３，１３の下端部から第１の直交方向Ｄ１にそれぞれ離れるように延びている。一対のベース部９，９は、第１の直交仮想面ＩＳ１と第２の直交仮想面ＩＳ２に対してそれぞれ面対称となる形状を有しており、ベース部の外側面には、ベース部の外側で、第１の直交仮想面ＩＳ１と交差する一対の傾斜仮想面ＩＳ３に沿う一対の傾斜面２３，２３を備えている（傾斜仮想面ＩＳ３については、図２（Ｄ）の一方のベース部９についてのみ図示している）。本実施の形態では、一対の傾斜仮想面ＩＳ３と第１の直交仮想面Ｄ１との間の角度θは、４５度に設定されている。一対のベース部には、ベース部を貫通する貫通孔２５が形成されている。貫通孔２５は、図示しないペグを通すための孔であり、設置状態において、ペグを貫通孔２５に通して地面に固定することで、板材ホルダ１が地面に固定される。
【００３６】
一対の連結部１１Ａ，１１Ｂは、第２の一対の側壁部１５，１５と一体に設けられている。一対の連結部１１Ａ，１１Ｂは、第２の一対の側壁部１５，１５に上下方向に位置を変えて設けられて第２の直交方向Ｄ２にそれぞれ離れるように延びる一対の板状部２７Ａ，２７Ｂを備えている。一対の板状部２７Ａ，２７Ｂは、該板状部の上下方向ＶＤに測った厚み寸法以上の間隔を上下方向ＶＤにあけて第２の一対の側壁部１５，１５に設けられている。板状部２７Ａには、板状部２７Ａから上方向に延びる円柱状凸部２９（雄型嵌合部）が設けてあり、板状部２７Ｂには、隣り合う円柱状凹部が回動可能に嵌合される孔部３１（雌型嵌合部）が設けてある。円柱状凸部２９に隣り合う他の板材ホルダの孔部３１を係合させると、円柱状凸部２９を上下方向ＶＤに延びる仮想中心線を中心として、孔部３１が所定の角度範囲で回動するように構成されている。
【００３７】
［板材補助ホルダ］
図３（Ａ）乃至（Ｆ）に示すように、板材補助ホルダ３にも、設置状態に合わせて、板材ホルダ１に定義した複数の方向（上下方向ＶＤ、第１の直交方向Ｄ１、第２の直交方向Ｄ２）と同じ方向を定めている。
【００３８】
板材補助ホルダ３は、角筒状の周壁部３３と、一対の連結部３５Ａ，３５Ｂとを備えている。
【００３９】
角筒状の周壁部３３は、上下方向ＶＤに延び、第１の直交方向Ｄ１に対向する第１の一対の側壁部３７，３７と、第２の直交方向Ｄ２に対向する第２の一対の側壁部３９，３９によって構成され、上端及び下端に板材５が貫通する一対の開口部４１Ａ，４１Ｂを有している。一対の開口部４１Ａ，４１Ｂを貫通する板材５の周囲を第１の一対の側壁部３７，３７及び第２の一対の側壁部３９，３９によって囲むように構成されている。本実施の形態では、周壁部３３の内寸は、板材５であるワンバイフォー木材の断面寸法よりわずかに大きく構成されており、２０ｍｍ（厚み寸法）×９０ｍｍ（幅寸法）に構成されている。第１の一対の側壁部３７，３７には、それぞれ第２の直交方向Ｄ２と下方向に向かって開口するＵ字状の溝部４３，４３が形成されている。溝部４３は、位置合わせをして板材５に打ち付ける釘４４と係合し、板材５に対して板材補助ホルダ３を留める役割を果たすものである。
【００４０】
一対の連結部３５Ａ，３５Ｂは、第２の一対の側壁部３９，３９と一体に設けられている。一対の連結部３５Ａ，３５Ｂは、第２の一対の側壁部３９，３９に上下方向に位置を変えて設けられて第２の直交方向Ｄ２にそれぞれ離れるように延びる一対の板状部４５Ａ，４５Ｂを備えている。一対の板状部４５Ａ，４５Ｂは、該板状部の上下方向ＶＤに測った厚み寸法以上の間隔を上下方向ＶＤにあけて第２の一対の側壁部３９，３９に設けられている。板状部４５Ａには、板状部４５Ａから上方向に延びる円柱状凸部４７（雄型嵌合部）が設けてあり、板状部４５Ｂには、隣り合う円柱状凹部が回動可能に嵌合される孔部４９（雌型嵌合部）が設けてある。円柱状凸部４７に隣り合う他の板材ホルダの孔部４９を係合させると、円柱状凸部４７を上下方向ＶＤに延びる仮想中心線を中心として、孔部４９が所定の角度範囲で回動するように構成されている。
【００４１】
［組み立て］
図４は、板材ホルダ１を用いて板材５を立てる様子、また、２組の板材ホルダ１，１´及び板材補助ホルダ３，３´を連結する様子を示す図である。図４においては、２組目の各部材には「´」を付して区別する。
【００４２】
板材５を立てる際には、予め板材補助ホルダ３を板材５に通しておき、溝部４３と釘４４を利用して板材補助ホルダ３を所定の位置に固定しておくことが望ましい。板材５´についても、同様にして溝部４３´と釘４４´を利用して板材補助ホルダ３´を所定の位置に固定しておく。
【００４３】
まず、板材ホルダ１を配置する。そして、板材ホルダ１の開口部１７に板材５の端部５Ａを挿入し、板材５の端面がストッパ２１に当たるまで押し込む。このようにすることで、容易に板材を立った状態で保持することができる。
【００４４】
次に、板材５と板材５´とを並べて配置するため、板材ホルダ１の円柱状凸部２９に孔部３１´が入るように、位置合わせをしながら、板材ホルダ１´を設置する。そして、板材補助ホルダ３の円柱状凸部４７に孔部４９´が入るように位置合わせをしながら、板材５´の端部５Ａ´を板材ホルダ１´の開口部１７´に挿入する。
【００４５】
立てたい板材の本数分だけ上記作業を繰り返すことで、簡単に仕切りや囲いを作成することができる。図１や図５に示す例が設置例である。図１の例では、半円状に複数の板材５を並べている。図５の例では、隣り合うベース部９の傾斜面２３を当接させることで、９０度の角度を有する折れ曲がり部を形成し、Ｕ字状（コの字状）の囲いを作成している。最初に設置した板材ホルダ１に連結すれば、環状の囲いを作成することも可能である。
【００４６】
設置場所によっては、板材ホルダ１のベース部に設けられた貫通孔２５にペグを通して地面に固定することも可能である。設置後、板材ホルダ１を土で隠すようにすれば、板材５を土に打ち込んだように見せることも可能となる。
【００４７】
もちろん、上記の設置順は適宜変更可能であり、先に板材ホルダ１を複数並べてから、複数の板材５を立ててもよい。また、予め板材に釘を打ち込んでおき、複数の板材５を立ててから、板材補助ホルダ３を板材５に嵌めるようにしてもよい。なお、板材５の高さが低い場合には、板材補助ホルダ３を省略することも可能である。
【００４８】
以上、本発明の実施の形態について具体的に説明したが、本発明はこれらの実施の形態に限定されるものではなく、本発明の技術的思想の範囲内で変更が可能であるのは勿論である。
【００４９】
例えば、板材としてワンバイフォー木材だけでなく、他の規格の材木を使用してもよい。また、所望の板材の形状に合わせて板材ホルダ及び板材補助ホルダの形状を決定するようにしてもよい。
【産業上の利用可能性】
【００５０】
本発明によれば、板材を立った状態で保持し、相互に連結することで、容易に仕切りや囲いを作成することが可能な板材ホルダを提供することができる。また、簡単に地面に固定することができる板材ホルダを提供することができる。また、板材の寿命を延ばすことが可能な板材ホルダを提供することができる。さらに、板材ホルダと組み合わされて使用される板材補助ホルダを提供することができる。
【符号の説明】
【００５１】
１  板材ホルダ
３  板材補助ホルダ
５  板材
５Ａ  端部
７  周壁部
９，９  一対のベース部
１１Ａ，１１Ｂ  一対の連結部
１３，１３  第１の一対の側壁部
１５，１５  第２の一対の側壁部
１７  開口部
１９  突出部
２１  ストッパ
２３，２３  一対の傾斜面
２５  貫通孔
２７Ａ，２７Ｂ  一対の板状部
２９  円柱状凸部
３１  孔部
３３  周壁部
３５Ａ，３５Ｂ  一対の連結部
３７，３７  第１の一対の側壁部
３９，３９  第２の一対の側壁部
４１Ａ，４１Ｂ  一対の開口部
４３  溝部
４４  釘
４５Ａ，４５Ｂ  一対の板状部
４７  円柱状凸部
４９  孔部
【図１】
2018137999.tif 000003
【図２】
2018137999.tif 000004
【図３】
2018137999.tif 000005
【図４】
2018137999.tif 000006
【図５】
2018137999.tif 000007